(57)【特許請求の範囲】
【請求項１】
貯蔵物を冷凍保存する第１貯蔵室と、
断熱壁を介して前記第１貯蔵室に隣接して貯蔵物を冷蔵保存する第２貯蔵室と、
冷気を生成する冷却器と、
前記第１貯蔵室の背面に配されるとともに前記冷却器を収納する第１冷気通路と、
内面に断熱材を設けたカバー部材により覆われて前記第２貯蔵室の背面に配されるとともに前記第１冷気通路に連通する第２冷気通路と、
前記第２冷気通路の冷気流入側の端部の前記断熱材と前記カバー部材との間に配される背面ヒータと、
を備え、
前記第２冷気通路が前記第２貯蔵室の背面上に突出するとともに、前記第２貯蔵室内に前記第２冷気通路の側方に配される隔離室を設け、
前記背面ヒータが前記隔離室の側壁上または前記隔離室内に延設される延設部を有することを特徴とする冷蔵庫。
【請求項２】
前記隔離室が前記背面ヒータに接続される配線を収納する配線収納室であることを特徴とする請求項１に記載の冷蔵庫。
【請求項３】
前記第１冷気通路に面した冷気流入口を開口してダンパを収納するとともに前記配線収納室を有したダンパユニットを備え、前記背面ヒータが前記ダンパユニットに配されることを特徴とする請求項２に記載の冷蔵庫。
【請求項４】
前記第１貯蔵室に配される製氷皿と、前記第２ 貯蔵室に配される給水タンクと、給水パイプを介して前記給水タンクの水を前記製氷皿に供給する給水ポンプとを備え、前記給水ポンプを前記隔離室に配したことを特徴とする請求項１に記載の冷蔵庫。
【請求項５】
前記給水パイプを加熱するパイプヒータを備え、前記背面ヒータが電力供給側に接続される第１コネクタと、前記パイプヒータ側に接続される第２コネクタとを有することを特徴とする請求項４に記載の冷蔵庫。
【請求項６】
前記断熱壁に配される壁面ヒータを備え、前記背面ヒータが電力供給側に接続される第１コネクタと、前記壁面ヒータ側に接続される第２コネクタとを有することを特徴とする請求項１〜請求項４のいずれかに記載の冷蔵庫。
【発明の詳細な説明】
【技術分野】
【０００１】
本発明は、貯蔵物を冷蔵保存する貯蔵室の背面に冷気通路を設けた冷蔵庫に関する。
【背景技術】
【０００２】
従来の冷蔵庫は特許文献１に開示されている。この冷蔵庫は上部及び下部にそれぞれ断熱壁を介して隣接する冷蔵室及び冷凍室を有する。冷蔵室の下部には仕切板により上部と仕切られた隔離室から成る小物収納室が設けられる。小物収納室には卵を収納する収納容器が引出し可能に配されている。小物収納室の底面の断熱壁には壁面ヒータが設けられている。壁面ヒータにより小物収納室内の過冷却が防止される。
【０００３】
冷凍室の背面には冷凍室に臨む吐出口を開口した第１冷気通路が配される。第１冷気通路内には冷却器及び送風機が配される。冷却器により冷気が生成され、送風機により冷気が送出される。第１冷気通路の上方には冷気流入口を介して第２冷気通路が連通している。第２冷気通路は冷蔵室の背面に配され、冷蔵室内に臨む吐出口を開口する。第２冷気通路の前面には断熱材が設けられる。
【０００４】
上記構成の冷蔵庫において、送風機が駆動されると冷却器で生成された冷気が第１冷気通路を流通して冷凍室内に吐出される。これにより、冷凍室が冷却される。第１冷気通路を流通した冷気の一部は冷気流入口を介して第２冷気通路に流入し、冷蔵室内に吐出される。これにより、冷蔵室が冷却される。
【先行技術文献】
【特許文献】
【０００５】
【特許文献１】特開２００８−３０４１６５号公報（第６頁〜第８頁、第３図、第５図）
【発明の概要】
【発明が解決しようとする課題】
【０００６】
しかしながら、上記従来の冷蔵庫によると、第１冷気通路から低温の冷気が流入する第２冷気通路の冷気流入側の端部に、冷蔵室に面して結露が生じる問題があった。一方、結露防止のために第２冷気通路の断熱材の厚みを大きくすると、冷蔵室の容積効率が低下する問題が生じる。
【０００７】
本発明は、容積効率が高く結露を防止できる冷蔵庫を提供することを目的とする。
【課題を解決するための手段】
【０００８】
上記目的を達成するために本発明は、
貯蔵物を冷凍保存する第１貯蔵室と、
断熱壁を介して前記第１貯蔵室に隣接して貯蔵物を冷蔵保存する第２貯蔵室と、
冷気を生成する冷却器と、
前記第１貯蔵室の背面に配されるとともに前記冷却器を収納する第１冷気通路と、
内面に断熱材を設けたカバー部材により覆われて前記第２貯蔵室の背面に配されるとともに前記第１冷気通路に連通する第２冷気通路と、
前記第２冷気通路の冷気流入側の端部の前記断熱材と前記カバー部材との間に配される背面ヒータと、
を備えたことを特徴としている。
【０００９】
また本発明は、上記構成の冷蔵庫において、前記第２冷気通路が前記第２貯蔵室の背面上に突出するとともに、前記第２貯蔵室内に前記第２冷気通路の側方に配される隔離室を設け、前記背面ヒータが前記隔離室の側壁上または前記隔離室内に延設される延設部を有すると好ましい。
【００１０】
また本発明は、上記構成の冷蔵庫において、前記隔離室が前記背面ヒータに接続される配線を収納する配線収納室であると好ましい。
【００１１】
また本発明は、上記構成の冷蔵庫において、前記第１冷気通路に面した冷気流入口を開口してダンパを収納するとともに前記配線収納室を有したダンパユニットを備え、前記背面ヒータが前記ダンパユニットに配されると好ましい。
【００１２】
また本発明は、上記構成の冷蔵庫において、前記第１貯蔵室に配される製氷皿と、前記第２貯蔵室に配される給水タンクと、給水パイプを介して前記給水タンクの水を前記製氷皿に供給する給水ポンプとを備え、前記給水ポンプを前記隔離室に配すると好ましい。
【００１３】
また本発明は、上記構成の冷蔵庫において、前記給水パイプを加熱するパイプヒータを備え、前記背面ヒータが電力供給側に接続される第１コネクタと、前記パイプヒータ側に接続される第２コネクタとを有すると好ましい。
【００１４】
また本発明は、上記構成の冷蔵庫において、前記断熱壁に配される壁面ヒータを備え、前記背面ヒータが電力供給側に接続される第１コネクタと、前記壁面ヒータ側に接続される第２コネクタとを有すると好ましい。
【発明の効果】
【００１５】
本発明によると、第２貯蔵室の背面に配される第２冷気通路の冷気流入側の端部の断熱材とカバー部材との間に背面ヒータを設けた。これにより、断熱材の厚みを小さくして容積効率を向上できるとともに、冷蔵室の背面の結露を防止することができる。
【図面の簡単な説明】
【００１６】
【図１】本発明の第１実施形態の冷蔵庫を示す正面図
【図２】本発明の第１実施形態の冷蔵庫を示す正面断面図
【図３】図２のＡ−Ａ断面図
【図４】本発明の第１実施形態の冷蔵庫の冷蔵室を示す上面断面図
【図５】本発明の第１実施形態の冷蔵庫のダンパユニットを正面側から見た斜視図
【図６】本発明の第１実施形態の冷蔵庫のダンパユニットを背面側から見た斜視図
【図７】本発明の第１実施形態の冷蔵庫のダンパユニットを示す正面図
【図８】図７のＢ−Ｂ断面図
【図９】本発明の第１実施形態の冷蔵庫の背面ヒータを示す正面図
【図１０】本発明の第１実施形態の冷蔵庫の内部の製氷装置を示す側面図
【図１１】本発明の第２実施形態の冷蔵庫のダンパユニットを示す正面図
【図１２】本発明の第３実施形態の冷蔵庫の第１冷気通路及び第２冷気通路上を通る断面を右側面側から見た断面図
【発明を実施するための形態】
【００１７】
＜第１実施形態＞
以下に図面を参照して本発明の実施形態を説明する。図１は第１実施形態の冷蔵庫を示す正面図である。冷蔵庫１は断熱箱体１ａの内部に複数の貯蔵室が設けられる。冷蔵庫１の上部には貯蔵物を冷蔵保存して扉２ａ、２ｂにより開閉される冷蔵室２（第２貯蔵室）が配される。扉２ａ、２ｂの内面側には複数のドアポケット２ｅが設けられる。
【００１８】
冷蔵室２の下部には仕切板１５により上部と仕切られた隔離室から成るタンク室１２、小物収納室１３及びチルド室１４が左右に並設される。タンク室１２は製氷用の給水タンク１０を収納する。小物収納室１３には引出し可能の収納容器１３ａが配され、収納容器１３ａは卵等の小さい貯蔵物を収納する。チルド室１４は冷蔵室２の上部よりも低温に維持される。
【００１９】
冷蔵室２の下方には断熱壁７を介して冷蔵室２に隣接して冷凍室３（第１貯蔵室）及び製氷室５（第１貯蔵室）が配される。製氷室５は扉５ａにより開閉され、詳細を後述するように給水タンク１０から給水して製氷を行い貯氷する。冷凍室３は貯蔵物を冷凍保存し、扉３ａにより開閉される上室３ｃと扉３ｂにより開閉される下室３ｄとを有している。上室３ｃと製氷室５とは仕切壁１１を介して左右に並設される。下室３ｄは前部に設けた仕切壁８（図２、図３参照）により上室３ｃ及び製氷室５と仕切られ、仕切壁８の後方で上室３ｃ及び製氷室５に連通する。
【００２０】
冷凍室３の下方には断熱壁９（図２、図３参照）を介して野菜室４が配される。野菜室４は扉４ａにより開閉され、冷蔵室１よりも高温で野菜や果物の冷蔵保存に適した温度に維持される。
【００２１】
図２は冷蔵庫１の正面断面図を示している。図３は図２のＡ−Ａ断面図を示している。冷凍室３及び製氷室５の背面には冷気通路２１（第１冷気通路）が配される。冷気通路２１の上部には送風ファン２４が配置される。冷気通路２１の下部は左右に拡幅した冷却器室２１ａが設けられ、冷却器室２１ａ内に冷却器２３が収納される。冷却器２３は機械室２８内の圧縮機２９（図３参照）に接続されて冷凍サイクルの低温側に配され、冷気通路２１を流通する空気と熱交換して冷気を生成する。
【００２２】
冷却器室２１ａの上部には冷凍室３に臨む吐出口３ｅが開口し、下部には冷却器２３に面して冷気を冷気通路２１に戻す戻り口３ｆが開口する。
【００２３】
冷蔵室２の背面の左右方向の中央部には冷気通路２２（第２冷気通路）が冷蔵室２の背面上に突出して上下に延びて設けられる。冷気通路２２は内面に断熱材３８を設けたカバー部材３７により覆われ、冷気通路２１に連通する。カバー部材３７は例えばＡＢＳ樹脂により形成され、断熱材３８は例えば発泡スチロールにより形成される。冷気通路２２の冷気流入側の端部はダンパユニット３０により形成され、冷気通路２２はダンパユニット３０の冷気流入口３５（図３参照）を介して冷気通路２１に連通する。冷気流入口３５にはダンパ２５が配される。ダンパユニット３０よりも上方のカバー部材３７の両端部には冷蔵室２内に臨む複数の吐出口２２ａが上下に並んで開口する。
【００２４】
冷蔵室２の天井面の左右方向の中央部には冷気通路２２に連通する天井ダクト６０が前後に延びて設けられる。天井ダクト６０の前面には冷気を吐出する天井吐出口６０ａが開口する。
【００２５】
冷気通路２２の下部（上流部）はダンパユニット３０の下流で分岐し、チルド室１４に冷気を吐出する吐出口１４ａが設けられる。チルド室１４の背面の一端には冷蔵室２内の冷気が流出する流出口２ｄが開口する。
【００２６】
野菜室４の上面には左右方向の一端に流入口４ｂが開口する。冷気通路２１の側方には流出口２ｄと流入口４ｂとを連結する連結通路２６が設けられる。また、野菜室４の上面の左右方向の他端には冷気通路２１の下端に開口する戻り口（不図示）が形成される。
【００２７】
図４は冷蔵室２を示す上面断面図であり、ダンパユニット３０を通る断面を示している。冷蔵室２の背面下部にはダンパユニット３０が設けられる。ダンパユニット３０はネジ（不図示）等により断熱箱体１ａにネジ止めされる。ダンパユニット３０はタンク室１２及び小物収納室１３の背面に配され、配線収納室４０及びポンプ室７０を有する。
【００２８】
ダンパユニット３０の下端部には冷気流入口３５が開口し、ダンパ２５により冷気流入口３５が開閉される。ダンパ２５は上下方向に回動して冷気流入口３５を開閉する。ダンパユニット３０内にはダンパ２５の設置スペースおよび回動スペースが必要となるため、図３や図４に示すように、ダンパユニット３０の前端はダンパユニット３０よりも上方の冷気通路２２よりも前方に突出している。そして、ダンパユニット３０のカバー部材３７と断熱材３８との間には背面ヒータ８０（図５参照）が配される。
【００２９】
冷気通路２２の左方には配線収納室４０が隣接する。配線収納室４０は冷蔵室２と仕切られた隔離室から成り、背面ヒータ８０に接続される配線８３、８４（図９参照）を収納する。
【００３０】
配線収納室４０の前面の開口部４１（図５参照）は蓋部４２により開閉可能になっている。また、配線収納室４０の底面には切欠き部４３が設けられる。切欠き部４３を介して配線８３、８４を配線収納室４０内に挿入することができる。
【００３１】
配線収納室４０の左方にはポンプ室７０が隣接する。ポンプ室７０は冷蔵室２と仕切られた隔離室から成り、製氷装置２７（図１０参照）の給水ポンプ１７（図１０参照）を収納する。
【００３２】
配線収納室４０の側壁及びポンプ室７０の側壁はカバー部材３７と一体に形成されている。なお、カバー部材３７とは別部材により配線収納室４０の側壁及びポンプ室７０の側壁を形成してもよい。
【００３３】
図５及び図６は、ダンパユニット３０の正面側及び背面側から見た斜視図をそれぞれ示している。図７はダンパユニット３０の正面図を示している。図８は図７のＢ−Ｂ断面図を示している。
【００３４】
カバー部材３７の背面には背面ヒータ８０を溶着したアルミニウム箔１００が両面粘着テープ（不図示）等により貼着される。断熱材３８は、背面ヒータ８０が貼着されたカバー部材３７の背面（内面）に例えば両面粘着テープ（不図示）等により貼着される。
【００３５】
ダンパユニット３０のカバー部材３７の上部の右端部にはサーミスタから成る温度センサ３９が配される。温度センサ３９は冷蔵室２内の温度を検知し、温度センサ３９の検知結果に基づいて圧縮機２９の駆動、停止、及びダンパ２５の開閉が行われる。
【００３６】
図９は背面ヒータ８０の正面図を示している。背面ヒータ８０は線状のコードヒータから成り、背面部８０ａ及び延設部８０ｂを有する。背面部８０ａはシート状のアルミニウム箔１００上に蛇行して溶着され、ダンパユニット３０のカバー部材３７と断熱材３８との間に配される。これにより、背面ヒータ８０の背面部８０ａの熱がアルミニウム箔１００を伝熱し、冷蔵室２の背面を均一に加熱することができる。
【００３７】
延設部８０ｂは背面部８０ａから左側方に延設され、切欠き部４３（図５参照）を介して、図７に示すように配線収納室４０内に配される。これにより、配線収納室４０は延設部８０ｂによって昇温される。なお、延設部８０ｂは配線収納室４０の側壁上に粘着テープ等により貼着されてもよい。また、延設部８０ｂをアルミニウム箔１００と同様なシート状のアルミニウム箔に溶着してもよい。これにより、配線収納室４０内を均一に昇温することができる。
【００３８】
延設部８０ｂの一端には接続端子８５を介して配線８３が接続される。接続端子８５は断熱材３８とカバー部材３７との間には配されないため、背面ヒータ８０よりも径大の接続端子８５による断熱材３８の厚みの減少が防止される。配線８３の一端には第１コネクタ８１が接続される。第１コネクタ８１は電力供給側に接続される。また、第１コネクタ８１から配線８４が導出され、配線８４の一端には第２コネクタ８２が接続される。第２コネクタ８２は後述のパイプヒータ１８（図１０参照）側に接続され、背面ヒータ８０はパイプヒータ１８と並列に接続される。これにより、電力供給側とパイプヒータ１８との間に背面ヒータ８０を容易に後付することができる。なお、背面ヒータ８０とパイプヒータ１８とを直列に接続してもよい。
【００３９】
また、冷蔵庫１は製氷装置２７を備えている。図１０は製氷装置２７を示す側面図である。製氷装置２７は給水タンク１０、給水パイプ１６、給水ポンプ１７、パイプヒータ１８、製氷皿５ｂ及び離氷モータ１９を有する。製氷皿５ｂ及び離氷モータ１９は製氷室５内に配される。
【００４０】
給水タンク１０には製氷用の水が貯水され、給水タンク１０はタンク室１２に対して着脱可能に設置される。扉２ａの開閉により給水タンク１０を冷蔵室２に対して出し入れすることができる。
【００４１】
給水パイプ１６は給水タンク１０から導出され、製氷皿５ｂ上まで延びて設けられる。給水ポンプ１７は給水パイプ１６の経路中のポンプ室７０内に配され、給水タンク１０から水を汲み上げて給水パイプ１６を介して製氷皿５ｂに供給する。
【００４２】
パイプヒータ１８は給水パイプ１６に接して設けられ、例えば３Ｗで通電される。これにより、給水パイプ１６内を流通する水の凍結を防止することができる。なお、給水タンク１０の周辺にもパイプヒータ１８を設けてもよい。これにより、給水タンク１０内の水の凍結を防止することができる。
【００４３】
製氷皿５ｂは給水タンク１０から給水パイプ１６を介して給水され、氷点以下の製氷室５内で氷Ｋを製氷する。離氷モータ１９は製氷皿５ｂに連結されるモータ軸１９ａを有して製氷皿５ｂを回転駆動し、製氷皿５ｂを捩って離氷を行う。
【００４４】
上記構成の冷蔵庫１において、圧縮機２９（図３参照）の駆動により冷凍サイクルが運転され、冷却器２３が低温に維持される。送風ファン２４の駆動によって冷気通路２１を流通する空気は冷却器２３と熱交換し、吐出口３ｅから冷凍室３内に冷気が吐出される。吐出口３ｅから吐出された冷気は冷凍室３及び製氷室５内を流通し、戻り口３ｆを介して冷却器２３に戻る。これにより、冷凍室３及び製氷室５が冷却される。
【００４５】
ダンパ２５が一点鎖線２５´（図８）で示す閉鎖位置から開かれると、冷気通路２１を流通する冷気の一部が冷気流入口３５を介して冷気通路２２に流入する。冷気通路２２を流通する冷気の一部は吐出口１４ａからチルド室１４に吐出される。冷却器２３と熱交換した直後の冷気をチルド室１４に送出してチルド室１４が冷蔵室２の上部よりも低温に維持される。
【００４６】
冷気通路２２内をチルド室１４よりも上方に流通する冷気（矢印Ｓ、図３参照）は吐出口２２ａから冷蔵室２内に吐出される。吐出口２２ａから吐出された冷気は冷蔵室２内を前方に流通し、左右方向の中央を前進する冷気から輻射される冷熱によって冷蔵室２内が冷却される。
【００４７】
天井ダクト６０を流通した冷気は天井吐出口６０ａを介して冷蔵室２の天井面に沿って冷気を吐出する。天井吐出口６０ａから吐出された冷気は冷蔵室２の前方に流通して扉２ａ、２ｂに沿って流下し、ドアポケット２ｅ内を冷却する。そして、冷蔵室２及びチルド室１４を冷却した冷気は流出口２ｄから流出する。
【００４８】
流出口２ｄから流出した冷気は連結通路２６を流通し、流入口４ｂを介して野菜室４に流入する。野菜室４に流入した冷気は野菜室４内を流通し、戻り口（不図示）を介して冷却器２３に戻る。これにより、野菜室４が冷却される。
【００４９】
この時、冷気通路２２の冷気流入側の端部に配置されるダンパユニット３０の断熱材３８とカバー部材３７との間には背面ヒータ８０（背面部８０ａ）が配されている。これにより、冷蔵室２に向けて流入する冷気が最初に通過するため温度が低くなる冷気通路２２の冷気流入側の端部に配置されるダンパユニット３０の冷蔵室２側の表面（カバー部材３７）が背面ヒータ８０によって加熱される。したがって、ダンパユニット３０の冷蔵室２側の表面（カバー部材３７）の結露を防止できる。これにより、ダンパユニット３０の断熱材３８の厚みを小さくしてダンパユニット３０の前方への突出量を小さくし、冷蔵室２の容積効率を向上しながら、冷蔵室２の背面の結露を防止することができる。
【００５０】
また、延設部８０ｂが配線収納室４０内に配されている。これにより、冷気通路２２に隣接する配線収納室４０が昇温され、配線収納室４０内の配線８３、８４の結露や凍結を防止することができる。
【００５１】
また、背面ヒータ８０の駆動時にパイプヒータ１８も駆動される。これにより、製氷装置２７の給水パイプ１６内を流通する水の凍結を防止することができる。
【００５２】
本実施形態によると、冷気通路２２（第２冷気通路）の冷気流入側の端部の断熱材３８とカバー部材３７との間に背面ヒータ８０が配される。これにより、冷気通路２２の冷気流入側の端部近傍の冷蔵室２（第２貯蔵室）の背面が背面ヒータ８０によって加熱される。したがって、断熱材３８の厚みを小さくして冷蔵室２の容積効率を向上できるとともに、冷蔵室２の背面の結露を防止することができる。
【００５３】
また、冷蔵室２内に冷気通路２２の側方に配される配線収納室４０（隔離室）を設け、背面ヒータ８０が配線収納室４０内に延設される延設部８０ｂを有する。これにより、配線収納室４０が延設部８０ｂにより加熱される。したがって、配線収納室４０内の配線８３、８４の結露や凍結を防止することができる。
【００５４】
また、冷気通路２１に面した冷気流入口３５を開口してダンパ２５を収納するとともに配線収納室４０を有したダンパユニット３０を備え、背面ヒータ８０がダンパユニット３０に配される。これにより、背面ヒータ８０の配線８３、８４を配線収納室４０内に容易に収納することができ、背面ヒータ８０を容易に取り付けることができる。
【００５５】
また、背面ヒータ８０が電力供給側に接続される第１コネクタ８１と、パイプヒータ１８側に接続される第２コネクタ８２とを有する。これにより、背面ヒータ８０を容易に後付することができる。
【００５６】
＜第２実施形態＞
次に、本発明の第２実施形態について説明する。図１１は第２実施形態のダンパユニット３０の正面図を示している。説明の便宜上、前述の図１〜図１０に示す第１実施形態と同様の部分には同一の符号を付している。第２実施形態では背面ヒータ８０の延設部８０ｂの配置が第１実施形態とは異なっている。その他の部分は第１実施形態と同様である。
【００５７】
配線収納室４０とポンプ室７０とを仕切る側壁には挿通孔（不図示）が開口する。切欠き部４３を介して配線収納室４０内に挿入された延設部８０ｂは挿通孔を介してポンプ室７０内に引き出される。これにより、延設部８０ｂはポンプ室７０（隔離室）内に配される。延設部８０ｂの熱により、給水ポンプ１７の凍結を防止することができる。なお、延設部８０ｂをポンプ室７０の側壁上に粘着テープ等により貼着してもよい。
【００５８】
本実施形態でも第１実施形態と同様の効果を得ることができる、また、背面ヒータ８０の延設部８０ｂをポンプ室７０（隔離室）内に配している。これにより、給水ポンプ１７が加熱され、給水ポンプ１７の凍結が防止される。
【００５９】
＜第３実施形態＞
次に、本発明の第３実施形態について説明する。図１２は第３実施形態の冷蔵庫１の冷気通路２１、２２上を通る断面を右側面側から見た断面図を示している。説明の便宜上、前述の図１〜図１０に示す第１実施形態と同様の部分には同一の符号を付している。第３実施形態では断熱壁７に壁面ヒータ９０を設けている点で第１実施形態とは異なっている。その他の部分は第１実施形態と同様である。
【００６０】
小物収納室１３の下方の断熱壁７には薄板状の壁面ヒータ９０が埋設されている。壁面ヒータ９０とパイプヒータ１８とは並列に接続される。また、背面ヒータ８０の第１コネクタ８１（図９参照）は電力供給側に接続され、第２コネクタ８２（図９参照）は壁面ヒータ９０側に接続される。
【００６１】
背面ヒータ８０の駆動時に壁面ヒータ９０も駆動される。これにより、小物収納室１３の収納容器１３ａ内の卵等の小さい貯蔵物の過冷却を防止することができる。また、収納容器１３ａ内は背面ヒータ８０及び壁面ヒータ９０によりそれぞれ後方及び下方から加熱される。これにより、収納容器１３ａ内の温度分布を均一にすることができる。
【００６２】
本実施形態でも第１実施形態と同様の効果を得ることができる。また、断熱壁７に配される壁面ヒータ９０を備えているため、小物収納室１３内の卵等の小さい貯蔵物の過冷却を防止することができる。この時、背面ヒータ８０が電力供給側に接続される第１コネクタ８１と、壁面ヒータ９０側に接続される第２コネクタ８２とを有する。これにより、背面ヒータ８０を容易に着脱することができ、小物収納室１３の有無等の多様な製品展開に容易に対応することができる。
【００６３】
また、小物収納室１３内は背面ヒータ８０及び壁面ヒータ９０によりそれぞれ後方及び下方から加熱される。これにより、小物収納室１３内の温度分布を均一にすることができる。
【００６４】
なお、壁面ヒータ９０をタンク室１２の下方の断熱壁７に埋設してもよい。これにより、給水タンク１０の凍結を防止することができる。
【００６５】
また、本実施形態において、第２実施形態と同様に背面ヒータ８０の延設部８０ｂをポンプ室７０の側壁上またはポンプ室７０内に配してもよい。
【００６６】
また、第１実施形態〜第３実施形態において、冷蔵庫１の上部及び下部にそれぞれ冷蔵室２及び冷凍室３を配しているが、これに替えて、冷蔵庫１の上部及び下部にそれぞれ冷凍室３及び冷蔵室２を配してもよい。
【産業上の利用可能性】
【００６７】
本発明によると、貯蔵物を冷蔵保存する貯蔵室の背面に冷気通路を設けた冷蔵庫に利用することができる。
【符号の説明】
【００６８】
１          冷蔵庫
２          冷蔵室（第２貯蔵室）
２ｄ        流出口
３          冷凍室（第１貯蔵室）
３ｅ        吐出口
３ｆ        戻り口
４          野菜室
４ｂ        流入口
５          製氷室
５ｂ        製氷皿
５ｃ        貯氷容器
７、９      断熱壁
１０        給水タンク
１１        仕切壁
１２        タンク室
１３        小物収納室
１４        チルド室
１５        仕切板
１６        給水パイプ
１７        給水ポンプ
１８        パイプヒータ
１９        離氷モータ
２１        冷気通路（第１冷気通路）
２２        冷気通路（第２冷気通路）
２２ａ      吐出口
２３        冷却器
２４        送風ファン
２５        ダンパ
２６        連結通路
２７        製氷装置
２８        機械室
２９        圧縮機
３０        ダンパユニット
３５        冷気流入口
３７        カバー部材
３８        断熱材
３９        温度センサ
４０        配線収納室
４１        開口部
４２        蓋部
４３        切欠き部
６０        天井ダクト
６０ａ      天井吐出口
７０        ポンプ室
８０        背面ヒータ
８０ａ      背面部
８０ｂ      延設部
８１        第１コネクタ
８２        第２コネクタ
８３、８４  配線
９０        壁面ヒータ
【図１】
0006778513.tif 000002
【図２】
0006778513.tif 000003
【図３】
0006778513.tif 000004
【図４】
0006778513.tif 000005
【図５】
0006778513.tif 000006
【図６】
0006778513.tif 000007
【図７】
0006778513.tif 000008
【図８】
0006778513.tif 000009
【図９】
0006778513.tif 000010
【図１０】
0006778513.tif 000011
【図１１】
0006778513.tif 000012
【図１２】
0006778513.tif 000013